(57)【要約】【目的】鏡筒と、この鏡筒の内側に螺嵌されるレンズ枠と、これら鏡筒とレンズ枠の間に挟持されるワッシャとを有し、このワッシャを介して鏡筒に対するレンズ枠の光軸方向位置を調整するレンズ位置調整機構において、複数のワッシャを必要としないレンズ位置調整機構を提供すること。【構成】鏡筒１２の端面とレンズ枠１１の端面のいずれか一方の端面には、光軸方向位置が周方向で段階的に変化する複数の階段状当付面１２ｃが周方向に等角度間隔で設けられており、ワッシャ１３には、該ワッシャの環状部１３ａから突出して上記複数の階段状当付面にそれぞれ当接する複数の突出部１３ｂが周方向に等角度間隔で設けられており、ワッシャ１３の複数の突出部１３ｂの各々は、対応する上記階段状当付面が有する複数の当付面（１２ｃ１乃至１２ｃ１１）の一つに当接した状態で鏡筒とレンズ枠の間に挟持される。【選択図】      図２
2004271972.tif 000002
【特許請求の範囲】
【請求項１】
鏡筒と、この鏡筒の内側に螺嵌されるレンズ枠と、上記鏡筒の端面と上記レンズ枠の端面の間に挟持されるワッシャとを有し、このワッシャを介して上記鏡筒に対する上記レンズ枠の光軸方向位置を調整するレンズ位置調整機構において、
鏡筒の上記端面とレンズ枠の上記端面のいずれか一方の端面には、光軸方向位置が周方向で段階的に変化する複数の階段状当付面が周方向に等角度間隔で設けられており、
ワッシャには、該ワッシャの環状部から突出して上記複数の階段状当付面にそれぞれ当接する複数の突出部が周方向に等角度間隔で設けられており、
ワッシャの上記複数の突出部の各々は、対応する上記階段状当付面が有する複数の当付面の一つに当接した状態で鏡筒とレンズ枠の間に挟持されることを特徴とするレンズ位置調整機構。
【請求項２】
請求項１記載のレンズ位置調整機構において、ワッシャの複数の突出部はそれぞれワッシャの環状部から径方向外側に突出しており、
鏡筒とレンズ枠の他方の端面には、光軸と垂直な面内に位置し且つワッシャの複数の突出部にそれぞれ当接する複数の当接面を有しており、
これら複数の当接面は、鏡筒とレンズ枠の他方の端面からワッシャの複数の突出部に向かってそれぞれ突出する複数の凸部の先端に形成されているレンズ位置調整機構。
【請求項３】
請求項２記載のレンズ位置調整機構において、複数の凸部は周方向に等角度間隔で設けられているレンズ位置調整機構。
【請求項４】
請求項１記載のレンズ位置調整機構において、ワッシャの複数の突出部は、ワッシャの環状部の一端面から光軸方向に沿って複数の階段状当付面に向かってそれぞれ突出しており、
鏡筒とレンズ枠の他方の端面は、光軸と垂直な面内に位置し且つワッシャの環状部の他端面に一様に当接する単一の当接面を有しているレンズ位置調整機構。
【請求項５】
請求項１記載のレンズ位置調整機構において、鏡筒とレンズ枠には互いに螺合する雌ねじ部と雄ねじ部がそれぞれ形成されており、周方向に対する各階段状当付面の傾斜はこれら雌ねじ部と雄ねじ部のリードと略平行であるレンズ位置調整機構。
【請求項６】
請求項２記載のレンズ位置調整機構において、レンズ枠は、内側にレンズ群を支持する環状枠部と；この環状枠部から径方向外側に延びるフランジ部と；を有し、
このフランジ部の外周縁には鏡筒に形成された雌ねじ部に螺合する雄ねじ部が形成されており、
複数の凸部は、上記フランジ部から光軸方向に沿ってワッシャに向かって突出しているレンズ位置調整機構。
【請求項７】
請求項１記載のレンズ位置調整機構において、鏡筒とレンズ枠のいずれか一方の端面に設けられた複数の階段状当付面とワッシャに設けられた複数の突出部はそれぞれ周方向に１２０度間隔で３つ設けられているレンズ位置調整機構。
【請求項８】
請求項１記載のレンズ位置調整機構において、各階段状当付面が有する複数の当付面の各々には光軸方向位置を示す刻印が施されているレンズ位置調整機構。
【発明の詳細な説明】
【０００１】
【技術分野】
本発明は、レンズ鏡筒内に支持されたレンズ群の光軸方向位置を調整をするためのレンズ位置調整機構に関する。
【０００２】
【従来技術及びその問題点】
従来、カメラ用レンズ鏡筒等のレンズ鏡筒内に支持されたレンズ群の光軸方向位置を調整する場合には、レンズ群を支持するレンズ枠と該レンズ枠の当付面との間に、予め用意しておいた厚みの異なる複数のワッシャから選択した一つのワッシャを挟み込むか、または同一の厚みを有するワッシャを一枚以上挟み込むことで調整を行なっていた。
【０００３】
【発明の目的】
本発明は、以上のようなワッシャを用いる従来のレンズ調整機構において、複数のワッシャを必要としないレンズ位置調整機構を提供することを目的とする。
【０００４】
【発明の概要】
本発明のレンズ位置調整機構は、鏡筒と、この鏡筒の内側に螺嵌されるレンズ枠と、上記鏡筒の端面と上記レンズ枠の端面の間に挟持されるワッシャとを有し、このワッシャを介して上記鏡筒に対する上記レンズ枠の光軸方向位置を調整するレンズ位置調整機構において、鏡筒の上記端面とレンズ枠の上記端面のいずれか一方の端面には、光軸方向位置が周方向で段階的に変化する複数の階段状当付面が周方向に等角度間隔で設けられており、ワッシャには、該ワッシャの環状部から突出して上記複数の階段状当付面にそれぞれ当接する複数の突出部が周方向に等角度間隔で設けられており、ワッシャの上記複数の突出部の各々は、対応する上記階段状当付面が有する複数の当付面の一つに当接した状態で鏡筒とレンズ枠の間に挟持されることを特徴としている。この構成によれば、レンズ位置調整で使用されるワッシャは一種類一枚で足りるため、予め複数枚のワッシャを用意する必要がない。
【０００５】
【発明の実施の形態】
図１乃至図５は、本発明を適用したレンズ位置調整機構を備えたレンズ鏡筒の第１実施形態を示している。本実施形態のレンズ位置調整機構は、鏡筒１２に支持された第２レンズ（後群レンズ）Ｌ２に対する、レンズ枠１１に支持された第１レンズ（前群レンズ）Ｌ１の光軸方向位置を調整するものである。
【０００６】
第１レンズ群Ｌ１を支持するレンズ枠１１は、第１レンズ群Ｌ１の周縁部に固定された環状枠部１１ａと、環状枠部１１ａから径方向外側に延びるフランジ部１１ｂからなっている。フランジ部１１ｂの外周縁には、鏡筒１２に形成された雌ねじ部１２ａに螺合される雄ねじ部１１ｃが形成されている。
【０００７】
一方、その後端部内側に第２レンズ群Ｌ２を支持する鏡筒１２は、鏡筒１２前端部の内周面に、レンズ枠１１の雄ねじ部１１ｃが螺合する上記雌ねじ部１２ａを有している。
【０００８】
また鏡筒１２には、雌ねじ部１２ａの後方（図１での右方）に、該鏡筒内周面から径方向内側に突出する縮径部１２ｂが形成されており、縮径部１２ｂの前端面（図１での左端面）がワッシャ１３を受ける座面として構成されている。
【０００９】
縮径部１２ｂの前端面には、光軸Ｏを中心とする周方向に等角度間隔（１２０度間隔）で階段状当付面１２ｃが３つ形成されている。これら３つの階段状当付面１２ｃは各々同一構造を有している。各階段状当付面１２ｃは、光軸方向位置（図１での左右方向位置）が周方向で段階的に変化する階段状面として形成されている。本実施形態ではこの階段状面の段数は１１段に設定されており、したがって各階段状当付面１２ｃは、光軸方向位置がそれぞれ異なる第１当付面１２ｃ１乃至第１１当付面１２ｃ１１を有している。
【００１０】
第１当付面１２ｃ１乃至第１１当付面１２ｃ１１の各当付面は、光軸Ｏと直交する平面内に位置する平面として形成されている。このうち第１当付面１２ｃ１が最も光軸方向後方に位置し、第１１当付面１２ｃ１１が最も光軸方向前方に位置している。つまり、階段状当付面１２ｃ上の光軸方向位置は、図２または図４での時計回り方向で第１当付面１２ｃ１から第１１当付面１２ｃ１１に移行するにつれて段階的に光軸方向前方に移行する。
【００１１】
本実施形態では、第１当付面１２ｃ１乃至第１１当付面１２ｃ１１における隣接する二つの当付面の段差（光軸方向での差）は０．１ｍｍに設定されている。各階段状当付面１２ｃの段数は１１段なので、第１当付面１２ｃ１と第１１当付面１２ｃ１１の間の段差は１．０ｍｍとなり、よってプラスマイナス０．５ｍｍの範囲内で０．１ｍｍ間隔で所望の当付面を任意に選択することができるようになっている。
【００１２】
また、第１当付面１２ｃ１乃至第１１当付面１２ｃ１１の各当付面は、光軸Ｏを中心とした周方向で１０度の幅をもっている。このため、周方向に対する各階段状当付面１２ｃの傾斜（リード）は０．１ｍｍ×３６０°／１０°＝３．６ｍｍとなる。本実施形態ではレンズ枠１１の雄ねじ部１１ｃ及び鏡筒１２の雌ねじ部１２ａの各リードは、鏡筒１１の周方向に対する各階段状当付面１２ｃの傾斜（リード）と同一、即ち３．６ｍｍに設定されている。つまり鏡筒１１の周方向に対する各階段状当付面１２ｃの傾斜は、雌ねじ部１２ａのリードと平行となるように設定されている。
【００１３】
ワッシャ１３は、光軸方向に均等な厚みを有する環状部材であり、レンズ枠１１のフランジ部１１ｂと、鏡筒１２の縮径部１２ｂの前端面（即ち各階段状当付面１２ｃ）の間に設置される。ワッシャ１３は、環状部１３ａと、該環状部１３ａから径方向外側に等角度間隔（１２０度間隔）で突出する３つの突出部１３ｂからなっている。各突出部１３ｂの光軸Ｏを中心とした周方向での幅は、第１当付面１２ｃ１乃至第１１当付面１２ｃ１１の各当付面の幅よりも若干小さく設定されている。環状部１３ａの外径は縮径部１２ｂの内径よりも若干小径に設定されているため、環状部１３ａの後面（図１での右面）は、縮径部１２ｂの前端面即ち各階段状当付面１２ｃに当接しない。またワッシャ１３の外径（各突出部１３ｂの先端までの外径）は、３つの階段状当付面１２ｃが形成された縮径部１２ｂの前端面の外径（即ち雌ねじ部１２ａの内径）と略同一とされている。
【００１４】
３つの突出部１３ｂの後面（図１での右面）は、３つの階段状当付面１２ｃの光軸方向位置が同一である３つの当付面（第１当付面１２ｃ１乃至第１１当付面１２ｃ１１のうち１つの当付面）にそれぞれ当接する。図２及び図３に示す調整例では各突出部１３ｂの後面が対応する階段状当付面１２ｃの第６当付面１２ｃ６に当接しており、図４及び図５に示す調整例では各突出部１３ｂの後面が対応する階段状当付面１２ｃの第８当付面１２ｃ８に当接している。なお図２及び図４の各図は、第１レンズ群Ｌ１を支持したレンズ枠１１を、鏡筒１２から取り外した状態で光軸方向前方から視た図である。
【００１５】
レンズ枠１１のフランジ部１１ｂ後面（図１での右面）の外周部には、ワッシャ１３の３つの突出部１３ｂに向かってそれぞれ突出する３つの凸部１１ｄが形成されている。これら３つの凸部１１ｄの各先端（光軸方向での後端）は、光軸Ｏと直交する同一平面内に位置する平坦な当接面１１ｅとして構成されている。各凸部１１ｄの光軸Ｏを中心とした周方向での幅（即ち光軸Ｏを中心とした周方向での各当接面１１ｅの幅）は、図３または図５から分かるようにワッシャ１３の突出部１３ｂよりも大きく設定されており、本実施形態では約５倍の幅に設定されている。
【００１６】
以上のような構造を有するレンズ鏡筒の第１実施形態では、雄ねじ部１１ｃ、凸部１１ｄ、雌ねじ部１２ａ、階段状当付面１２ｃ、ワッシャ１３等によりレンズ位置調整機構が構成されている。
【００１７】
以上のレンズ鏡筒での第２レンズＬ２に対する第１レンズＬ１の光軸方向位置調整手順は以下の通りである。先ず、鏡筒１２に螺嵌されているレンズ枠１１を緩めてワッシャ１３を光軸Ｏ周りに回転可能な状態にし、次に必要なレンズ位置調整量に応じてワッシャ１３を回転させる。このとき、仮に第２レンズＬ２に対する第１レンズＬ１の光軸方向位置を前方に０．２ｍｍ移動させたい場合には、階段状当付面１２ｃは１段当たりの段差が０．１ｍｍなので、ワッシャ１３を２段分（光軸Ｏを中心とした周方向で２０度分）即ち第１当付面１２ｃ１乃至第１１当付面１２ｃ１１の中で当付面２つ分だけ図２または図４での時計回り方向に回転させればよい。その後レンズ枠１１を回転させて鏡筒１２に対して締め付ければ、図３や図５に示すようにレンズ枠１１の各凸部１１ｄの当接面１１ｅがワッシャ１３の対応する突出部１３ｂの前面に圧接し、これによって光軸位置調整作業が完了する。
【００１８】
図７乃至図１１は、本発明を適用したレンズ位置調整機構を備えたレンズ鏡筒の第２実施形態を示している。第２実施形態では、上記第１実施形態でのワッシャ１３に代えて該ワッシャ１３とは異なる形状を有するワッシャ１３０を用いている。また第２実施形態では、上記第１実施形態のレンズ枠１１に代えて、第１実施形態でのフランジ部１１ｂが有する３つの凸部１１ｄを有しないフランジ部１１ｂ’を備えたレンズ枠１１’を用いている。これら相違点を除いては第１実施形態と第２実施形態は実質的に同一である。これら相違点についてのみ以下に詳述する。
【００１９】
ワッシャ１３０は、光軸方向に均等な厚みを有する環状部１３０ａと、該環状部１３０ａの後面（図７での右面）から等角度間隔（１２０度間隔）で光軸方向後方に突出する３つの突出部１３０ｂからなっている。各突出部１３０ｂの光軸Ｏを中心とした周方向での幅は、ワッシャ１３の突出部１３ｂと同様に、第１当付面１２ｃ１乃至第１１当付面１２ｃ１１の各当付面の幅よりも若干小さく設定されている。環状部１３０ａの外径は縮径部１２ｂの前端面の外径（即ち雌ねじ部１２ｂの内径）と略同一とされている。
【００２０】
第１レンズ群Ｌ１を支持するレンズ枠１１’は、レンズ群Ｌ１の周縁部に固定された環状枠部１１ａと、該環状枠部１１ａから径方向外側に延びるフランジ部１１ｂ’からなっている。フランジ部１１ｂ’は光軸方向に均等な厚みを有しており、その外周縁に雄ねじ部１１ｃが形成されている。フランジ部１１ｂ’の後面（図７での右面）は光軸Ｏと垂直な面内に位置する平面であり、該後面の外周部が環状部１３０ａの前端面（図７での左端面）に対して一様に当接する。
【００２１】
以上のような構造を有するレンズ鏡筒の第２実施形態では、フランジ部１１ｂ’、雄ねじ部１１ｃ、雌ねじ部１２ａ、階段状当付面１２ｃ、ワッシャ１３０等によりレンズ位置調整機構が構成されている。本実施形態のレンズ位置調整機構によっても上記第１実施形態のレンズ位置調整機構と同様の調整手順に従って第２レンズＬ２に対する第１レンズＬ１の光軸方向位置を調整することができる。
【００２２】
なお図１２に示すように、上記各実施形態において、第１当付面１２ｃ１乃至第１１当付面１２ｃ１１のそれぞれに光軸方向位置を示す数字を刻印する構成にしてもよい。この構成によれば、ワッシャ１３の突出部１３ｂまたはワッシャ１３０の突出部１３０ｂが、各階段状当付面１２ｃのいずれの当付面に当て付いているのか一目瞭然となる。
【００２３】
以上の各実施形態では各階段状当付面の段数（当付面の数）を１１段としたが、本発明はこの段数のみに限定されない。即ち、各階段状当付面の段数は１１段未満または１２段以上でもよい。
【００２４】
また以上の各実施形態では各階段状当付面における隣接する二つの当付面の段差（光軸方向での差）を０．１ｍｍに設定したが、本発明はこの特定の数値のみに限定されない。即ち、各階段状当付面における隣接する二つの当付面の段差は０．１ｍｍ以外の数値であってもよい。
【００２５】
また以上の各実施形態では複数の当付面を有する階段状当付面を光軸Ｏを中心とする周方向に等角度間隔（１２０度間隔）で３つ形成したが、４つ以上でも同様の効果を得ることができる。
【００２６】
また以上の各実施形態ではレンズ枠１１の雄ねじ部１１ｃのリード、鏡筒１２の雌ねじ部１２ａのリード、及び各階段状当付面１２ｃの傾斜（リード）を各々３．６ｍｍに設定したが、この数値は任意である。
【００２７】
また以上の各実施形態では複数の階段状当付面を鏡筒側に形成したが、この構成に代えて複数の階段状当付面をレンズ枠側に形成し、ワッシャの複数の突出部に当接する単一または複数の当接面をレンズ枠側に形成する構成にしても同様の効果を得ることができる。
【００２８】
【発明の効果】
以上のように、本発明のレンズ位置調整機構によれば、複数のワッシャを必要とせず、また予め複数のワッシャを用意する必要がないのでコスト的に有利である。
【図面の簡単な説明】
【図１】本発明を適用したレンズ鏡筒の第１実施形態の要部のみを示す光軸上半断面図である。
【図２】図１に示す鏡筒及びワッシャを光軸方向前方から視た正面図である。
【図３】図２に示す鏡筒及びワッシャを鏡筒の内側から視た部分展開図である。
【図４】図１に示す鏡筒及びワッシャを光軸方向前方から視た正面図である。
【図５】図４に示す鏡筒及びワッシャを鏡筒の内側から視た部分展開図である。
【図６】鏡筒を光軸方向前方から視た正面図である。
【図７】本発明を適用したレンズ鏡筒の第２実施形態の要部のみを示す光軸上半断面図である。
【図８】図７に示す鏡筒及びワッシャを光軸方向前方から視た正面図である。
【図９】図８に示す鏡筒及びワッシャを鏡筒の内側から視た部分展開図である。
【図１０】図７に示す鏡筒及びワッシャを光軸方向前方から視た正面図である。
【図１１】図１０に示す鏡筒及びワッシャを鏡筒の内側から視た部分展開図である。
【図１２】鏡筒の他の実施例を示す正面図である。
【符号の説明】
１１  レンズ枠
１１ａ  環状枠部
１１ｂ  フランジ部
１１ｃ  雄ねじ部
１１ｄ  凸部
１１ｅ  当接面
１２  鏡筒
１２ａ  雌ねじ部
１２ｂ  縮径部
１２ｃ  階段状当付面
１３  ワッシャ
１３ａ  環状部
１３ｂ  突出部
１３０  ワッシャ
１３０ａ  環状部
１３０ｂ  突出部
【図１】
2004271972.tif 000003
【図２】
2004271972.tif 000004
【図３】
2004271972.tif 000005
【図４】
2004271972.tif 000006
【図５】
2004271972.tif 000007
【図６】
2004271972.tif 000008
【図７】
2004271972.tif 000009
【図８】
2004271972.tif 000010
【図９】
2004271972.tif 000011
【図１０】
2004271972.tif 000012
【図１１】
2004271972.tif 000013
【図１２】
2004271972.tif 000014